(57)【要約】【解決手段】  熱源１２側に配置された第１の保護膜１４と、人体１６に接触する側に配置された第２の保護膜１８と、第１の保護膜１４と第２の保護膜１８との間に形成された袋状の水密性収納部２０と、水密性収納部２０の内部に収納された液体２２と、液体２２と共に水密性収納部２０に収納された、多孔質の液体保持材２４とを備える。【効果】  乾熱性の熱源１２上に被せることによって、内部に収納された液体２２を暖め、その液体２２から放熱する熱を人体１６に間接的に伝えるから、熱源１２に電熱器等を使用して、広い面積で継続的な暖房効果を得ることができ、長時間使用しても、乾燥肌を生じない。【選択図】  図１
2005270267.tif 000002
【特許請求の範囲】
【請求項１】
熱源側に配置された第１の保護膜と、
人体側に配置された第２の保護膜と、
前記第１の保護膜と前記第２の保護膜との間に形成された袋状の水密性収納部と、
前記水密性収納部の内部に収納された液体と、
前記液体と共に前記水密性収納部に収納された、多孔質の液体保持材とを備えたことを特徴とする湿熱シート。
【請求項２】
前記水密性収納部の内部に収納された液体は、水であることを特徴とする請求項１に記載の湿熱シート。
【請求項３】
前記水密性収納部には、それぞれ前記液体と前記液体保持材とを収容する複数の独立した袋状部が設けられていることを特徴とする請求項１に記載の湿熱シート。
【請求項４】
前記液体保持材は、微弱放射線を発する鉱物粉末を保持するものであることを特徴とする請求項１乃至３に記載の湿熱シート。
【請求項５】
前記液体には、微弱放射線を発する鉱物粉末が混入されていることを特徴とする請求項１乃至３に記載の湿熱シート。
【請求項６】
前記第１の保護膜と前記第２の保護膜の一方または双方には、微弱放射線を発する鉱物粉末が混練されて混入されていることを特徴とする請求項１乃至３に記載の湿熱シート。
【請求項７】
前記水密性収納部は、周縁部に相互に分離可能な連結部材を介して連結し複数の袋状部からなることを特徴とする請求項１乃至５のいずれかに記載の湿熱シート。
【発明の詳細な説明】
【技術分野】
【０００１】
本発明は、主として電気毛布等の上に被せて使用し、肌の乾燥を防ぐ暖房補助具といった用途に使用される湿熱シートに関する。
【背景技術】
【０００２】
家庭内の電化が進み、暖房器具には、エアコンをはじめ、足温器、ホットカーペット、電気毛布といった電熱器が多用されている。しかしながら、例えば、電気毛布やホットカーペットは、肌を乾燥させて皮膚炎を起こすことがある。発熱体を封入した袋で、体に直接貼り付ける、携帯型の懐炉も普及しているが、これも、使い方を誤ると低温火傷等を引き起こす。体の動きが少なく肌の弱い乳幼児や老人は特にこうした危険性が高い。一方、昔から使用されている湯たんぽは、身体に最も適した熱源で、身体に負担をかけず体を暖め、特に肌を乾燥させることがないと言われている。このことから、水を封入したパッドを電子レンジで加熱して、人体の肩や腰に当てる、液体を使用した携帯型の懐炉も開発された（特許文献１、特許文献２、特許文献３参照）。
【特許文献１】特開２００２−２００１０６号公報
【特許文献２】特開２０００−１３９９８７号公報
【特許文献３】特開平１１−１２３０２９号公報
【発明の開示】
【発明が解決しようとする課題】
【０００３】
ここで、従来の湿熱シートには、次のような解決すべき課題があった。
湯たんぽや液体を使用した懐炉は冷めやすくて、長時間継続的に暖を取ることが難しいという問題がある。しかも、電気毛布のように広い面積で体を暖める効果はない。一方、いわゆるホルミシス効果を目的として、微量な放射線を発生する鉱物を使用したシートを電熱器で加温することで、体全体を効果的に暖めて、血行促進等の健康増進を図る暖房器具が開発されている。しかしながら、体を暖める効果が高いほど、肌を乾燥させたりする危険性も高まる。
【０００４】
本発明は、以上の課題を解決するためになされたもので、電熱器等の熱源を利用し、必要に応じて、ホルミシス効果を取り入れ、肌の乾燥等を防止できる湿熱シートを提供することを目的とする。
本発明はさらに、肌の弱い老人や乳幼児が安心して使用することができる湿熱シートを提供することを目的とする。
【課題を解決するための手段】
【０００５】
本発明の各実施例においては、それぞれ次のような構成により上記の課題を解決する。
〈構成１〉
熱源側に配置された第１の保護膜と、人体に接触する側に配置された第２の保護膜と、上記第１の保護膜と上記第２の保護膜との間に形成された袋状の水密性収納部と、上記水密性収納部の内部に収納された液体と、上記液体と共に上記水密性収納部に収納された、多孔質の液体保持材とを備えたことを特徴とする湿熱シート。
【０００６】
本発明の湿熱シートは、それ自体発熱するものではない。また、加熱後の蓄熱性が高いものでなくてもよい。乾熱性の熱源上に被せることによって内部に収納された液体を暖め、その液体から放熱する熱を人体に間接的に伝える。熱源に電熱器等を使用して、広い面積で継続的な暖房効果を得ることができる。しかも、水密性収納部の内部に収納された液体の作用により、長時間使用しても、乾燥肌を生じない。
【０００７】
〈構成２〉
上記水密性収納部の内部に収納された液体は、水であることを特徴とする構成１に記載の湿熱シート。
【０００８】
液体は、水が最も好ましい。実施例では水を使用した。万一水密性収納部が破損して収納した液体が漏れても安全であり、寝具も汚さない。また、水は、肌全体を均一に暖め、熱が一部に集中しないよう熱の伝わり方を柔らかく制御する効果があると考えられる。また、肌を乾燥させるような波長の熱線を吸収して人体を乾燥から保護する効果もあるものと考えられる。
【０００９】
〈構成３〉
上記水密性収納部には、それぞれ上記液体と上記液体保持材とを収容する複数の袋状部が設けられていることを特徴とする構成１に記載の湿熱シート。
【００１０】
水密性収納部は袋状に構成されて液体を収納する。複数の袋状部とすることで、全体として液体の偏りを防止し、肌の乾燥を防ぐ効果を備えた領域の面積を広く保持できる。袋の数は単数でも複数でも構わない。袋状に加工するために、実施例ではヒートシールを使用した。接着剤や、ポリエチレン袋の口を封止するために多用されているプラスチックファスナを使用しても構わない。
【００１１】
〈構成４〉
上記液体保持材は、微弱放射線を発する鉱物粉末を保持するものであることを特徴とする構成１に記載の湿熱シート。
【００１２】
いわゆるホルミシス効果を発揮する微弱放射線を発する鉱物粉末を容易に均一に分散させて、湿熱シートに一体化することができる。また、通常の熱源のみによるよりも人体に与えるエネルギが大きいと考えられるが、水密性収納部の内部に収納された液体の作用により肌の乾燥等を防止できる。なお、鉱物粉末の種類は任意である。
【００１３】
〈構成５〉
上記液体には、微弱放射線を発する鉱物粉末が混入されていることを特徴とする構成１に記載の湿熱シート。
【００１４】
微弱放射線を発する鉱物粉末を水等に混入して分散させると、湿熱シート全体に均一に鉱物粉末が配置されて、適切なホルミシス効果を発揮することができる。さらに、鉱物粉末を樹脂等に練り込んで押し出し成型すると変質をして効果が減少することがある。また、樹脂中に均一に鉱物粉末を分散させるのは容易でない。しかも、鉱物粉末が押し出し成型機を痛めるので、コスト高になるという問題があった。これに対して、水中に分散させて液体保持材に着床させると、非常に簡単に、しかも、変質等の問題がないシートが製造できる。
【００１５】
〈構成６〉
上記第１の保護膜と上記第２の保護膜の一方または双方には、微弱放射線を発する鉱物粉末が混練されて混入されていることを特徴とする構成１に記載の湿熱シート。
【００１６】
第１の保護膜や第２の保護膜をプラスチックシートとすれば、その製造時に微弱放射線を発する鉱物粉末を混練して混入させることができる。この場合はより一層、全体に均一に微弱放射線を発する鉱物粉末を分散させて、効果の高い面暖房器具とすることができる。
【００１７】
〈構成６〉
上記水密性収納部は、周縁部に相互に分離可能な連結部材を介して連結し複数の袋状部からなることを特徴とする構成１乃至５のいずれかに記載の湿熱シート。
【００１８】
複数の湿熱シートを任意の数だけ連結して、利用者の希望するサイズとなるように自由に組みたてることができる。
【発明の効果】
【００１９】
以上のように、本発明の湿熱シートには次のような効果が期待できる。
１．乾式の熱源を使用するにも関わらず、湿式の熱源を使用したのと同様に、身体の深部まで熱を伝導し、体に負担が掛からないという効果がある。
２．湿熱源を使用したのと同様に、乾燥肌になりにくいという効果がある。
３．熱源の上に被せたり、乗せたりするだけで面倒な作業が不要であり、熱源が発熱を継続する限り、いつまでも暖かいという効果がある。
４．それ自体外部から電気等のエネルギを供給する必要がないので、故障も少なく、長期間低コストで使用できるという効果もある。
５．一般の暖房器具よりも体を暖める効果の高い微弱放射線を利用した暖房に、湿熱シートを組み合わせることにより、体を暖める効果を減少させることなく、乾燥肌等を防止して、より健康増進に役立てることができる。
６．低コストで安定な品質のシートを容易に製造できる。
【発明を実施するための最良の形態】
【００２０】
以下、本発明の実施の形態を実施例ごとに詳細に説明する。
【実施例１】
【００２１】
図１は、実施例１の湿熱シートの内部構造を示す、端部に断面を示した斜視図である。
図１に示した湿熱シート２６は、熱源１２側に配置された第１の保護膜１４と、人体１６に接触する側に配置された第２の保護膜１８と、第１の保護膜１４と前記第２の保護膜１８との間に形成された袋状の水密性収納部２０と、水密性収納部２０の内部に収納された液体２２と、液体２２と共に、水密性収納部２０に収納された、多孔質の液体保持材２４とを備えている。
【００２２】
本発明の湿熱シート２６は、それ自体発熱するものではない。また、加熱後の蓄熱性が高いものでなくてもよい。乾熱性の熱源１２上に被せることによって内部に収納された液体２２を暖め、その液体２２から放熱する熱を人体１６に間接的に伝える。熱源１２に電熱器等を使用して、広い面積で継続的な暖房効果を得ることができる。しかも、水密性収納部２０の内部に収納された液体２２の作用により、長時間使用しても、いわゆる低温火傷を生じない。
【００２３】
熱源１２は、面状発熱体が好ましい。この実施例では、電気毛布２８を使用した。電熱ヒータ、赤外線ヒータ、足温器、ホットカーペット、電気毛布等、任意の熱源１２が利用できる。熱源１２は湯等の湿式熱源は含まず、乾式熱源である。熱源１２は、例えば、水密性収納部２０の内部に収納された液体２２の作用により湿式熱源１２と同様の効果を発揮する。第１の保護膜１４や第２の保護膜１８は、水密性収納部２０を構成するための不透水性の膜で、その材質は問わない。実施例ではプラスチックフィルム３０を使用した。プラスチックフィルム３０でも、金属フィルムでもよい。内部に収容した液体２２の熱膨張を吸収する柔軟性のある材質が好ましい。
【００２４】
水密性収納部２０の内部に収納された液体２２は、水が最も好ましい。実施例では水を使用した。万一、水密性収納部２０が破損して収納した液体２２が漏れても安全であり、寝具も汚さない。また、水は、肌全体を均一に暖め、熱が一部に集中しないよう熱の伝わり方を柔らかく制御する効果があると考えられる。また、肌を乾燥させるような波長の熱線を吸収して人体１６を守る効果もあるものと考えられる。
【００２５】
しかし、液体２２として毒性のないオイルその他の任意の液体を採用することもできる。多孔質の液体保持材２４は、水密性収納部２０に液体２２を偏りなく配置させる役割を持つ。例えば、熱源１２の上に湿熱シート２６を敷いて、その上に人が横向きになったとする。このとき、人の重みで、水密性収納部２０内の液体２２がいずれか一箇所に押しやられると、熱源１２と人体１６の間に液体２２が存在しない部分が広く発生する。液体保持材２４はこれを防止する。従って、液体保持材２４は可能な限り柔軟で液体２２を十分に吸収できる素材であればよい。スポンジ状の海綿体や、布等の繊維状のものでもよい。実施例では、不織布を使用した。液体保持材２４は、仰向けから横向きになった時に感じる、密封された液体２２特有の反発感を和らげる機能も持つ。
【００２６】
水密性収納部２０には、それぞれ液体２２と液体保持材２４とを収容する複数の袋状部が設けられている。
水密性収納部２０は袋状に構成されて液体２２を収納する。水密性収納部２０を複数の袋状部とすることで、全体として液体２２の偏りを防止し、肌の乾燥を防ぐ効果を備えた領域の面積を広く保持できる。水密性収納部２０の袋の数は、単数でも複数でも構わない。袋状に加工するために、実施例ではヒートシールを使用したが、接着剤や、ポリエチレン袋の口を封止するために多用されているプラスチックファスナを使用しても構わない。
【００２７】
湿熱シート２６の外縁部には、湿熱シートの両側の互いに反対側の面に、面ファスナ（連結部材）４８がそれぞれ配設されている。複数枚の湿熱シート２６を連結する際に、各湿熱シート２６に設けられている面ファスナ４８を向かい合わせにして圧接することにより容易に接合される。
【実施例２】
【００２８】
図２は、実施例２の湿熱シートの主要部を示す横断面図である。実施例１と同一の部分には同一符号を付している。
図２（ａ）はその全体構成の横断面図で、全体として袋状に成型されている。保護膜で囲まれた水密性収納部２０内には、液体保持材２４と液体２２が収納されている。これを電気毛布等の上に敷いて、その上に人が横たわる。故に、人体１６と熱源１２とは直接接触しない。
実施例２の湿熱シートは、図２（ａ）に示したように実施例１のものと基本的な構造が変わらないが、水密性収納部２０内に、微弱放射線を放射する鉱物粉末を収納した点に特徴を有するものであり、例えば、図２（ｂ）に示すものと、図２（ｃ）に示すものとがある。
【００２９】
図２（ｂ）に示す湿熱シートは、プラスチックフィルムからなる第１の保護膜１４と第２の保護膜１８の間に、水密性収納部２０が設けられ、その内部に、液体２２と、不織布からなる液体保持材２４とが収納されている。不織布からなる液体保持材２４の繊維間に、微弱放射線を放射する鉱物粉末４０が全体として均一に分散するように混入されている。
【００３０】
液体保持材２４には、いわゆるホルミシス効果を発揮する微弱放射線を発する鉱物粉末４０を均一に分散させている。このような液体保持材２４を備えた湿熱シートは、血流を装置を芯させることから、通常の熱源１２のみによるよりも人体１６に与えるエネルギが大きいと考えられるが、水密性収納部２０の内部に収納された液体２２の作用により肌の乾燥や低温火傷を防止できる。なお、鉱物粉末４０の種類は任意である。例えば、モザナイトを含む花崗岩等が候補として挙げられる。微弱放射線を発する鉱物は、殺菌や免疫効果の促進に有益であることが学会でも実証されている。このホルミシス効果を呈する鉱物を利用した健康機器は各種のものが紹介されている。その鉱物粉末をこの実施例で使用する。その放射線量は、自然放射線と呼ばれ、ＩＣＲＰ勧告で示された有害な放射線量のしきい値と比較しても、十分に低いものである。
【００３１】
図２（ｃ）に示す湿熱シートは、プラスチックフィルムからなる第１の保護膜１４と不織布からなる液体保持材２４との間、及び、第２の保護膜１８と不織布からなる液体保持材２４との間にそれぞれ収納された液体２２に、微弱放射線を放射する鉱物粉末４０が全体として均一に分散するように混入されてなるものである。
液体２２に、微弱放射線を発する鉱物粉末４０を混入して分散させると、湿熱シート２６全体に均一に鉱物粉末４０が配置されて、適切なホルミシス効果を発揮することができる。この液体は、水のように、攪拌により容易に鉱物粉末を全体として均一に分散させることができるような粘度のものが好ましい。また、液体保持部材中を使用する場合には、この液体保持部材に浸透する程度の粘度のものが好ましい。従って、水もしくは水を主成分とした溶液が最も好ましいと言える。一方、高粘度の粘着性物質に鉱物粉末を均一に付着させた構成も採用できる。適度な弾力性と湿熱効果を得ることができる。
【００３２】
第１の保護膜１４と第２の保護膜１８の一方または双方に、微弱放射線を発する鉱物粉末４０が混練されて混入されてもよい。第１の保護膜１４や第２の保護膜１８をプラスチックシートとすれば、その製造時に微弱放射線を発する鉱物粉末４０を混練して混入させることができる。この場合はより一層、全体に均一に微弱放射線を発する鉱物粉末４０を分散させて、効果の高い面暖房器具とすることができる。
【００３３】
湿熱シート中の液体が全体として均一に存在すると共に、鉱物粉末４０も全体として均一に分散していることが、身体をほどよく効率的に温める効果を奏する。上記のような構成により、鉱物粉末４０を製造時より、全体に容易に均一に分散させ、使用後も偏在を防止することができる。
【００３４】
なお、微弱放射線を発する鉱物粉末をプラスチックシートに混練して押し出し成型をする製造方法では、鉱物粉末をシート全体に均一に分散させるのが容易でない。鉱物粉末の粒子が大きくなると、押し出し機のスクリューやヘッドに傷を付けたりすることもある。あまり鉱物粉末の粒子を小さくすると、プラスチックペレットと混ぜ合わせる時に煤塵が発生して取り扱いが難しくなる。従って、製造コストが比較的高くなるという問題があった。
【００３５】
一方、上記の実施例のように、予め水等の液体中に分散させてから、液体保持材をその液体中に浸漬すると、鉱物粉末が液体保持材全体に容易に均一に付着する。最初に水に混入するようにすれば、鉱物粉末の粒子を小さくしても煤塵の問題は解決しやすい。押し出し機等を使用しないから、非常に低コストで微弱放射線を発する鉱物粉末を全体に均一に付着させたシートが出来上がるという効果がある。濃度調整も容易である。さらに、微弱放射線を発する鉱物粉末には殺菌効果があるから、長期間水等の液体を腐敗させないという効果がある。以上のことから、水密性収納部に液体と液体保持材とを収容し、その中に微弱放射線を発する鉱物粉末を混入させるようにした実施例には、当初の予想を越える顕著な効果を見いだすことができた。
【実施例３】
【００３６】
図３は、実施例３の湿熱シートの構成を示す平面図である。
この湿熱シート３６は、全体として四辺形をなす１つの袋状に成型されている。プラスチックフィルムからなる保護膜で囲まれた水密性収納部３７内には、不織布からなる液体保持材、液体、微弱放射線を発する鉱物粉末が収納されている。
水密性収納部３７の平面部の任意の数箇所に、液体保持材の移動を防止する固定部材５２が設けられている。これらの固定部材５２は、水密性収納部３７を構成する２枚の保護膜どうしを部分的に接合することによって、保護膜あるいは内部の液体保持材を拘束し変動しないようにするもので、接着剤でもよい。また、水密性収納部３７の周縁部に面ファスナ（連結部材）５０が設けられている。これらの面ファスナ５０は、水密性収納部３７の両面の隣合う各２辺にそれぞれ沿って配設されている。
【００３７】
図４は、実施例３の湿熱シート３６を４枚並べた状態を示す平面図である。
図４に示すように４枚の湿熱シート３６が四辺形に配置され、各面ファスナ５０を向かい合わせにして圧接することにより分離可能に接合される。すなわち、複数の湿熱シート３６を任意の数だけ連結して、利用者の希望するサイズに自由に組みたてることができる。この湿熱シートのサイズは任意である。用途に応じて用いられる。
【００３８】
図５は、比較例の実験結果による乾燥肌発生状況説明図である。
この［テスト１］の実験では、暖房器具として電気敷き毛布を使用して、８時間睡眠をした後で、体の各部の状態を、表皮保湿計を用いて測定した。表皮保湿計は、（株）ナリス化粧品社製のもので、保湿度数の測定範囲は０（Min．）〜９９（Max．）である。実験をした日の天候は晴れ、室内気温は１７℃、室内湿度は５３％であった。その結果を見ると、図のように、実験後は、下腿部、大腿部、腰部、背部、上腕部ともに、５分の１から１０分の１まで、水分が失われていることがわかる。これが、乾燥肌の原因になる。
【００３９】
図６は、実施例の実験結果による乾燥肌防護効果説明図である。
［テスト２］の実験では、暖房器具として電気敷き毛布を使用して、その上に本発明による湿熱シートを敷き、その上で８時間睡眠をした。この後で、体の各部の状態を、表皮保湿計を用いて測定した。［テスト１］と全く同様に、表皮保湿計は、（株）ナリス化粧品社製のもので、保湿度数の測定範囲は０（Min．）〜９９（Max．）である。実験をした日の天候は晴れ、室内気温は１７℃、室内湿度は５２％であった。被験者は、［テスト１］と同一人物である。その結果を見ると、図のように、実験後は、下腿部、大腿部、腰部、背部、上腕部ともに、保湿度数の変化が、１０％以下であった。このように、微弱放射線を発する鉱物粉末による効果を生かしつつ、皮膚を保護することが可能になる。
【産業上の利用可能性】
【００４０】
以上説明した本発明の湿熱シートは、電気毛布やホットカーペットのような据え付け式の平面状発熱体のみならず、例えば、足温器、電気あんか、等の立体的な発熱体にも適用可能である。相互に連結可能な構造にすれば、立体的に人体に接して肌を保護できる。筒状にも袋状にもできる。特に、人の肌に直接接触して熱を伝える器具に広く利用することが可能である。また、暖房用に限定されるものではない。例えば、夏には、若干ひんやりとした冷たさを感じさせることもできる。単なるプラスチックのシートよりもクッション性にすくれている。シーツやタオルのカバーをかけて使用することにより、オールシーズンでどこでも使用することか可能である。
【図面の簡単な説明】
【００４１】
【図１】実施例１の湿熱シートの内部構造を示す、端部に断面を示した斜視図である。
【図２】実施例２の湿熱シートの主要部を示す図で、（ａ）はその全体構造を示す断面図、（ｂ）は湿熱シートの基本的な構造を示す断面図、（ｃ）は湿熱シートの使用時の構造を示す断面図である。
【図３】実施例３の湿熱シートを示す平面図である。
【図４】実施例４の湿熱シートを示す平面図である。
【図５】比較例の実験結果による乾燥肌発生状況説明図である。
【図６】実施例の実験結果による乾燥肌防護効果説明図である。
【符号の説明】
【００４２】
１２  熱源
１４  第１の保護膜
１６  人体
１８  第２の保護膜
２０  水密性収納部
２２  液体
２４  液体保持材
２６  湿熱シート
２８  電気毛布
４０  鉱物粉末
【図１】
2005270267.tif 000003
【図２】
2005270267.tif 000004
【図３】
2005270267.tif 000005
【図４】
2005270267.tif 000006
【図５】
2005270267.tif 000007
【図６】
2005270267.tif 000008